(57)【要約】【課題】  車内などで取付取り外しが簡単な鏡を提案する。合わせて粘着剥離する鏡覆い及び付加価値付きの粘着剥離する鏡覆いを提案する。【解決手段】１  アクリルスポンジの如く粘着剥離を繰り返すスポンジを鏡体の裏面に貼ったことを特徴とする粘着剥離できる鏡。２  アクリルスポンジの如く粘着剥離を繰り返すスポンジを鏡体の裏面に貼ったことを特徴とする粘着剥離できるサンバイザー取りつけ用鏡。３  アクリルスポンジの如く粘着剥離を繰り返すスポンジが表面になるようにしたことを特徴とするサンバイザー。４  アクリルスポンジの如く粘着剥離を繰り返すスポンジを鏡覆いとしたことを特徴とするサンバイザー取付の鏡覆い。５  アクリルスポンジの如く粘着剥離を繰り返すスポンジを鏡に貼り当該スポンジの余白部分にゲーム盤印刷体、ゼムクリップ体、筒体から選択される１つ以上があることを特徴とする粘着剥離できる鏡。【選択図】  図１
2006055606.tif 000002
【特許請求の範囲】
【請求項１】
アクリルスポンジの如く粘着剥離を繰り返すスポンジを鏡体の裏面に貼ったことを特徴とする粘着剥離できる鏡。
【請求項２】
アクリルスポンジの如く粘着剥離を繰り返すスポンジを鏡体の裏面に貼ったことを特徴とする粘着剥離できるサンバイザー取りつけ用鏡。
【請求項３】
アクリルスポンジの如く粘着剥離を繰り返すスポンジが表面になるようにしたことを特徴とするサンバイザー。
【請求項４】
アクリルスポンジの如く粘着剥離を繰り返すスポンジを鏡覆いとしたことを特徴とするサンバイザー取付の鏡覆い。
【請求項５】
アクリルスポンジの如く粘着剥離を繰り返すスポンジを鏡に貼り当該スポンジの余白部分にゲーム盤印刷体、ゼムクリップ体、筒体から選択される１つ以上があることを特徴とする粘着剥離できる鏡。
【発明の詳細な説明】
【技術分野】
【０００１】  本発明はサンバイザーなどに取付する粘着剥離ができる鏡及び当該鏡の覆いに関する。
【背景技術】
【０００２】  鏡を車内などに設置すれば化粧直しに便利である。サンバイザーに鏡を取りつけたいわゆるミラー付き日除けはある。また、近年は化粧台を装備した車もある。車内で化粧専用に鏡を見たい場合があり、助手席の物入れ部に鏡付き化粧台を装備する車も実用化されている。【０００３】  近年、粘着成分で発泡したシートが登場した。いわゆる自己粘着シートである。シートに弱い粘着剤を塗布したり、粘着剤そのものを発泡させる。粘着剥離を繰り返せる。【０００４】  自己粘着スポンジはアクリルスポンジが代表的なものである。粘着保持できるので壁面にテッシュ取付や、メモ貼りなどに利用する。油取り紙の束から１枚１枚取るときの取り具にもなる。
アクリルスポンジは挟みで切り取りができる。紙やビニルなどに何回も貼ったり剥がせたりできる。アルミシート日除けを硝子に貼るのにも利用できる。吸着盤のように多くの用途が見いだされる。
本発明者はアクリルスポンジの用途を多数発明した。自己粘着するので盤ゲームの盤になることを見いだしている。紙やビニルなどを駒や碁石にして粘着剥離して遊べる。携帯に便利で、平面ばかりでなく壁面でも遊べる。
また、本発明者はゼムクリップと組み合わせれば、メモなどの挿し込み保持用具になることを見いだした。
【特許文献１】  特許公開平７−６９０５６  車両用サンバイザー
【特許文献２】  特許公開平８−２２４９  サンバイザー
【特許文献３】  特許公開平８−２６８０５  鏡付サンバイザーの成形方法
【特許文献４】  特許公開２００１−２９４０４１  車両用サンバイザー
【特許文献５】  特許公開２００２−１５４３２４  車両用鏡付きサンバイザー
【特許文献６】  特許公開２００３−１６５３９５  車両の車室備品据付構造
【特許文献７】  実用新案登録第３０９５３６７号
【特許文献８】  特許公開２００３−３３９４３９
【特許文献９】  特許公開２００４−２０４２００
【特許文献９】  特許公開２００４−２７１２３貼着用シート状発泡体およびその製造方法
【発明の開示】
【発明が解決しようとする課題】
【０００５】  車内などで取付取り外しが簡単な鏡を提案する。また当該鏡が気になる場合がある。そこでこれを覆う鏡覆いをも提案する。
【課題を解決するための手段】
【０００６】  上記の課題を解決するためにアクリルスポンジの如く粘着剥離を繰り返すスポンジを鏡の裏に貼れば粘着剥離ができる鏡を得られる。
アクリルスポンジは滑面に粘着するので鏡裏が滑面であればそのまま粘着できる。通常は安全のため両面テープや接着剤で貼るのがよい。
アクリルスポンジの如く粘着剥離を繰り返すスポンジを鏡より大きめにすれば余白を曲げて鏡に粘着させれば鏡覆いになる。【０００７】  アクリルスポンジの如く粘着剥離を繰り返すスポンジが表面になるようにサンバイザーを製造してもよい。鏡等を粘着剥離できる。鏡を外したときにテッシュボックスやカードなどを貼ることができる。【０００８】  サンバイザーに鏡があると日除けに利用する場合、使いにくい。鏡が不必要なときに鏡覆いがあると良い。粘着剥離を繰り返すスポンジで鏡を覆えばよい。
アクリルスポンジの如く粘着剥離を繰り返すスポンジを鏡に貼り当該スポンジの余白部分を鏡覆いにしてもよい。
余白部分を折り曲げ使用か、余白をはさみで切って使用してもよい。【０００９】  アクリルスポンジの如く粘着剥離を繰り返すスポンジを鏡に貼り当該スポンジの余白部分にゲーム盤印刷体、ゼムクリップ体、筒体から選択される１つ以上があるようにしてもよい。【００１０】  アクリルスポンジの如く粘着剥離を繰り返すスポンジを鏡に貼り当該スポンジの余白部分にゼムクリップがある粘着剥離できる鏡にしてもよい。【００１１】  アクリルスポンジの如く粘着剥離を繰り返すスポンジを鏡は、サンバイザーばかりでなく、車内のガラス面や艶面に貼れる。パソコン、冷蔵庫、カラーボックス、壁面でも貼れる。
また、自動販売機商品表示部分に貼ってもよい。【００１２】  アクリルスポンジの如く粘着剥離を繰り返すスポンジにゼムクリップを係止めしたカードを貼ったメモ差しにしてもよい。【００１３】  サンバイザーばかりでなく、天井、窓枠、ダッシュボード部などの車両の表皮材の一部をアクリルスポンジの如く粘着剥離を繰り返すスポンジとした車両の車室構造とし。鏡やその他を貼れるようにしてもよい。鏡やメモなどが貼れる。
【発明の効果】
【００１４】  アクリルスポンジを利用することにより粘着剥離ができる鏡を提供できる。すなわち鏡の取付外しを繰り返せる。【００１５】  さらに余白のアクリルスポンジを利用して鏡覆いやゲーム盤、クリップ用具、筒を利用し筆記具などの取付具を提供できる。
余白部分が粘着面を増やし落下の緩和や予防にもなる。
余白部分にも粘着剥離機能がるのでこれを利用してゲーム盤印刷部、クリップ部、筒部を設けて付加価値のある鏡体にできる。【００１６】  サンバイザー以外に冷蔵庫やパソコンなど鉄面ビニル面タイル面などに鏡を取付できる。たとえば自動販売機商品表示部分に取付し集客効果をもたらせる。
商品を展示してない部分に鏡を貼れば消費者に便利である。女性は化粧などを確認できる。商品展示が変化し鏡が不必要になれば簡単に剥がせる。また商品表示に隙間ができれば、そこに貼ることも簡単である。【００１７】  カラーボックス、書棚、トイレ壁面などに鏡を取付取り外しができる。【００１８】  サンバーザーばかりでなく建設機械や農作業車などのアーム部分に取付し着脱自由なバックミラーにもできる。
さらに下記に詳述するようにな効果がある。【００１９】  請求項１記載の効果としては、鏡のないザンバイザーを鏡付きのサンバイザーに簡単にできる。再度、鏡を外すことも簡単にできる。ビニル製等のサンバイザーにスポンジを押しつけるだけでよい。
アクリルスポンジを利用することにより粘着剥離ができる。すなわち鏡の取付外しを繰り返せる。鏡覆いもアクリルスポンジを利用できる。
鏡３枚で、壁面に貼る三面鏡もできる。この場合は側面の余白部に貼重ねる。側面鏡のアクリルスポンジは表面に剛性素材を貼りあわせ鏡を貼ると三面になるようにできる。【００２０】  請求項２記載の効果を述べる。サンバイザーに貼った鏡を手元に移動できる。また窓やその他に貼ることができる。手元での化粧などに便利である。特に近眼や老眼の人には鏡との距離を近くできる。鏡サイズを概略サンバイザーと同じ大きさにもできる。【００２１】  請求項３記載の効果を述べる。アクリルスポンジの如く粘着剥離を繰り返すスポンジが表面になるようにしたサンバイザーは直接サンバイザー表面に裏面が滑面な鏡を取付取り外しができる。
また、ポケットテッシュ等の小物を貼って保持できる。またゼムクリップをカードに係止して貼ればメモ差し等になる。【００２２】  請求項４記載の効果を述べる。アクリルスポンジの如く粘着剥離を繰り返すスポンジの鏡覆はスポンジで密着するので鏡が傷付かないようにする保護カバーになる。粘着剥離機能があるのでポッケットテッシュ等を貼れる。また、ゲーム盤をアクリルスポンジに印刷すればゲーム用具兼用になる。ゼムクリップ係止カードを貼っえメモ差し兼用になる。筒を付ければ筆記具などを取付できる。【００２３】  請求項５記載のゲーム盤印刷体効果を述べる。サンバーザー等を利用してリバーシや囲碁五目などが遊べる。アクリルスポンジが粘着剥離するので碁石や駒は紙やビニルでもよい。駐車の退屈な時に車内でをゲームができる。
これを切り取れば他の壁面に貼り、囲碁などをして遊べる。【００２４】  請求項５記載のゼムクリップ体の効果を述べる。
アクリルスポンジの如く粘着剥離を繰り返すスポンジにゼムクリップを係止めしたカードを貼りゼムクリップ体とする。カードやレシートなどをクリップできる。片手でスライドクリップもでき車内での整理に便利である。【００２５】  請求項５記載の筒体効果を述べる。スポンジが粘着するので、これに面が平らな筒を貼れば筆記具などをいれることができる。丸い筒なら前記のゼムクリップ体にクリップして筆記具などを差し込めばよい。
【発明を実施するとめの最良の形態】
【００２６】  アクリルスポンジに鏡を貼った状態がよい。または裏面に粘着テープを貼った鏡とアクリルスポンジの組み合わせでもよい。ゲーム盤種類などアクリルスポンジの余白部を選択できるように組み合わせて実施してもよい。
【実施例】
【００２７】  以下本発明の実施例を図面を用いて説明する。図１のようにアクリルスポンジに鏡を貼ればよい。鏡のうらが艶面ならそのまま押しつければよい。しかし粘着テープや接着剤を利用して貼るのが安定する。余白部分のアクリルスポンジは曲げて鏡覆いにできる。該余白部分のアクリルスポンジを盤ゲーム部やゼムクリップ部や筒部などにできる。
【実施例１】
【００２８】  図１は実施例１の正面図である。
符号の１はアクリルスポンジ、２は鏡体、３は鏡面部、４は枠部、５は本発明に係わる鏡６、  余白部分７は鏡覆い８である。
厚さ２ミリの横１８センチ縦２２センチのアクリルスポンジ１に鏡体２を両面テープを使用して貼る。鏡体は鏡面部３と枠部４からなる横１５センチ縦１０センチである。アクリルスポンジ１の下部は余白部分７になる。余白部分７を折り曲げて鏡覆い８にする。使用する場所により不必要なら鏡覆い８は切取除去して使用する。以上が本発明に係わる鏡６である。
余白部分７は粘着剥離ができるので鏡面部３に粘着できる。
【実施例２】
【００２９】  図２は正面図である。符号の８はサンバイザーである。
車両などで使用するには、本発明に係わる鏡５をアクリルスポンジ１の余白部分６からなる鏡覆い７で覆ってサンバイザー８に貼る。鏡をみる時は鏡覆い７を開く。手元等にに必要なときはサンバイザー８から鏡５を剥離できる。【００３０】  請求項３記載の如く粘着剥離を繰り返すスポンジが表面になるようにしたサンバイザーを図２で説明する。サンバイザー８の表皮部をアクリルスポンジにすれば鏡その他を粘着剥離できる。この時は鏡をアクリルスポンジの鏡覆いで覆うのがよい。請求項４記載の如くアクリルスポンジを鏡覆いに使用できる。
【実施例３】
【００３１】  図３は正面図である。符号の９はゲーム盤印刷体、１０は碁石や駒である。
余白部６に印判などでケイ線でゲーム盤を印刷する。好ましくはアクリルスポンジ打ち抜きの碁石や駒を余白部６側面に貼る。艶紙やビニルなど碁石や駒でもよい。粘着剥離するので囲碁リバーシなどのゲームができる。余白部を切り取って単独で使用してもよい。
【実施例４】
【００３２】  図４は正面図である。符号の１１はゼムクリップ体、１２はゼムクリップ、１３はカード、１４は筒体である。
カード１３にゼムクリップ１２を係止しこれをアクリルスポンジに貼ればメモ差しになる。紙幣や領収書など薄いものを片手で挿し込み止めれれる。筆記具などは筒を利用するとよい。筒１４を両面テープでアクリルスポンジ余白部に貼ってもよいが、ゼムクリップ体１２のゼムクリップ１２に係止させても筒付きのアクリルスポンジになる。
【産業上の利用可能性】
【００３３】  本発明は産業上利用できる。特に車内のサンバーザに後付けの鏡に利用ができる。またどこでも粘着剥離できる鏡として産業上有益である。
【図面の簡単な説明】
【００３４】
【図１】・・正面図（実施例１）
【図２】・・正面図
【図３】・・正面図
【図４】・・正面図
【符号の説明】
【００３５】  １・・アクリルスポンジ
２・・鏡体
３・・鏡面部
４・・枠部
５・・本発明に係わる鏡。
６・・余白部分
７・・鏡覆い
８・・サンバイザー
９・・ゲーム盤印刷体
１０・・碁石や駒
１１・・ゼムクリップ体
１２・・ゼムクリップ
１３・・カード
１４・・筒体
【図１】
2006055606.tif 000003
【図２】
2006055606.tif 000004
【図３】
2006055606.tif 000005
【図４】
2006055606.tif 000006